(57)【要約】【課題】外壁パネルの組み付け作業のみによって縦目地部のシールを効率よく行い、現場作業の効率化、及び工期の短縮化を図る。【解決手段】外壁パネル１の向き合う側端面Ｓに貼着される乾式目地部材３であって、互いに圧接することにより縦目地部をシールする。乾式目地部材３は、前記側端面Ｓに貼着される板状のベース部１１と、圧接面となる外面が前記ベース部１１からそれぞれ半円形状に突出するとともに屋外側又は屋内側のうちの一方側に配される第１のガスケット部１２と、他方側に配される第２のガスケット部１３とを一体に具える。少なくとも前記第１のガスケット部１２は、半円弧状のアーチ状リップ片１４からなる中空状をなし、かつ該アーチ状リップ片１４は、前記一方側の端部１４Ｅがベース部１１から切り離されていることにより、圧縮変形容易とした。【選択図】図３
2015004237.tif 000002
【特許請求の範囲】
【請求項１】
隣り合う外壁パネルの向き合う側端面にそれぞれ貼着され、互いに圧接することにより前記側端面間に形成される縦目地部をシールするゴム弾性を有する乾式目地部材であって、
前記側端面に貼着される板状のベース部と、圧接面となる外面が前記ベース部からそれぞれ半円形状に突出するとともに屋外側又は屋内側のうちの一方側に配される第１のガスケット部と、他方側に配される第２のガスケット部とを一体に具えるとともに、
少なくとも前記第１のガスケット部は、半円弧状のアーチ状リップ片からなる中空状をなし、かつ該アーチ状リップ片は、前記一方側の端部が前記ベース部から切り離されていることにより、圧縮変形容易としたことを特徴とする乾式目地部材。
【請求項２】
前記第２のガスケット部は、半円弧状のアーチ状リップ片からなる中空状をなし、かつ該アーチ状リップ片の前記一方側の端部が前記ベース部から切り離されていることにより圧縮変形容易としたことを特徴とする請求項１記載の乾式目地部材。
【請求項３】
前記第１、第２のガスケット部は、各アーチ状リップ片の前記一方側の端部に、滑り面部を具えることを特徴とする請求項１又は２記載の乾式目地部材。
【請求項４】
前記第２のガスケット部は、前記第１のガスケット部と同質のゴム弾性材からなる内層部と、この内層部よりも硬質のゴム弾性材からなる外層部とからなることを特徴とする請求項１〜３の何れかに記載の乾式目地部材。
【請求項５】
矩形状の支持枠と、この支持枠の屋外側の前面に固定される面材とを具えるとともに、前記面材の側端面に、請求項１〜４に記載の乾式目地部材を貼着したことを特徴とする外壁パネル。
【請求項６】
外壁パネルの向き合う側端面間に形成される縦目地部をシールする乾式目地構造であって、
請求項５記載の外壁パネルを隣り合わせて架構体に組み付け、一方の外壁パネルに貼着される乾式目地部材と、他方の外壁パネルに貼着される乾式目地部材とを圧接させることにより、前記第１のガスケット部同士の圧接によりレインバリア又はウインドバリアを形成し、前記第２のガスケット部同士の圧接によりウインドバリア又はレインバリアを形成し、かつ前記第１、第２のガスケット部間に配される凹部同士により等圧空間を形成することを特徴とする乾式目地構造。
【発明の詳細な説明】
【技術分野】
【０００１】
本発明は、架構体に外壁パネルを隣り合わせで組み付ける際に形成される外壁パネル間の縦目地部を、効率よくシールする乾式目地部材、乾式目地部材を取り付けた外壁パネル、及びそれを用いた乾式目地構造に関する。
【背景技術】
【０００２】
例えば、柱や梁などの架構体に、外壁パネルを順次組み付けることにより建物の外壁を形成するパネル工法においては、隣り合う外壁パネル間に生じる縦目地部をシールして塞ぐことが必要となる。
【０００３】
そして、縦目地部をシールする乾式目地構造として、下記の特許文献１、２に記載のものが広く採用される。この乾式目地構造では、図７（Ａ）、（Ｂ）に示すように、架構体に組み付けられた外壁パネルａ、ａ間の縦目地部ｂに、乾式目地部材ｃを挿入したのち、この乾式目地部材ｃを屋内側からナットｄを用いて固定している。具体的には、前記乾式目地部材ｃは、外壁パネルａ、ａの前面間を跨るカバー部ｃ１と、このカバー部ｃ１の裏面に貼着されるゴム製の水密材ｃ２と、前記カバー部ｃ１の裏面から突出しかつ上下に配列する複数本のネジ棒ｃ３とを具える。そして、外壁パネルａ、ａの後面間を跨るワッシャー状の止め板ｅを介して前記ネジ棒ｃ３をナット止めすることで、乾式目地部材ｃが固定される。
【０００４】
このような乾式目地構造では、乾式目地部材ｃを上方側から挿入でき、かつ屋内側からナット止めしうる。そのため、足場の設置が困難な狭小住宅においても施工を可能とするという利点がある。
【０００５】
しかしながら、外壁パネルの組み付け作業後に、乾式目地部材ｃの取付け作業が別途必要となるため工期の延長を招く。又取付け作業が高所作業であり、しかも手作業による多数のナット止めとなるため作業効率に劣るという問題もある。
【先行技術文献】
【特許文献】
【０００６】
【特許文献１】実開昭５７−１０２６０９号公報
【特許文献２】特開２００４−３６０３３４号公報
【発明の概要】
【発明が解決しようとする課題】
【０００７】
本発明は、特に足場の設置が困難な狭小住宅に好適であり、外壁パネルの組み付け作業のみによって縦目地部のシールを効率よく行うことができ、現場作業の効率化、及び工期の短縮化を達成しうる乾式目地部材、乾式目地部材を取り付けた外壁パネル、及びそれを用いた乾式目地構造を提供することを課題としている。
【課題を解決するための手段】
【０００８】
本発明のうち請求項１記載の発明は、隣り合う外壁パネルの向き合う側端面にそれぞれ貼着され、互いに圧接することにより前記側端面間に形成される縦目地部をシールするゴム弾性を有する乾式目地部材であって、
前記側端面に貼着される板状のベース部と、圧接面となる外面が前記ベース部からそれぞれ半円形状に突出するとともに屋外側又は屋内側のうちの一方側に配される第１のガスケット部と、他方側に配される第２のガスケット部とを一体に具えるとともに、
少なくとも前記第１のガスケット部は、半円弧状のアーチ状リップ片からなる中空状をなし、かつ該アーチ状リップ片は、前記一方側の端部が前記ベース部から切り離されていることにより、圧縮変形容易としたことを特徴としている。
【０００９】
また請求項２では、前記第２のガスケット部は、半円弧状のアーチ状リップ片からなる中空状をなし、かつ該アーチ状リップ片の前記一方側の端部が前記ベース部から切り離されていることにより圧縮変形容易としたことを特徴としている。
【００１０】
また請求項３では、前記第１、第２のガスケット部は、各アーチ状リップ片の前記一方側の端部に、滑り面部を具えることを特徴としている。
【００１１】
また請求項４では、前記第２のガスケット部は、前記第１のガスケット部と同質のゴム弾性材からなる内層部と、この内層部よりも硬質のゴム弾性材からなる外層部とからなることを特徴としている。
【００１２】
また請求項５は、外壁パネルの発明であって、矩形状の支持枠と、この支持枠の屋外側の前面に固定される面材とを具えるとともに、前記面材の側端面に、請求項１〜４に記載の乾式目地部材を貼着したことを特徴としている。
【００１３】
また請求項６は、外壁パネルの向き合う側端面間に形成される縦目地部をシールする乾式目地構造であって、
請求項５記載の外壁パネルを隣り合わせて架構体に組み付け、一方の外壁パネルに貼着される乾式目地部材と、他方の外壁パネルに貼着される乾式目地部材とを圧接させることにより、前記第１のガスケット部同士の圧接によりレインバリア又はウインドバリアを形成し、前記第２のガスケット部同士の圧接によりウインドバリア又はレインバリアを形成し、かつ前記第１、第２のガスケット部間に配される凹部同士により等圧空間を形成することを特徴としている。
【発明の効果】
【００１４】
本発明の乾式目地部材は、外壁パネルの側端面に貼着される板状のベース部と、圧接面となる外面が前記ベース部からそれぞれ半円形状に突出するとともに屋外側又は屋内側のうちの一方側に配される第１のガスケット部と、他方側に配される第２のガスケット部とを一体に具える。
【００１５】
従って、外壁パネルを架構体に組み付ける際、一方の外壁パネルに貼着された乾式目地部材と、他方の外壁パネルに貼着される乾式目地部材とが圧接するように、外壁パネルを組み付けることにより、第１のガスケット部同士の圧接によりレインバリア又はウインドバリアを形成し、前記第２のガスケット部同士の圧接によりウインドバリア又はレインバリアを形成し、かつ第１、第２のガスケット部間に配される凹部同士により等圧空間を形成でき、縦目地部を高精度でシールすることが可能となる。
【００１６】
この時、第１、第２のガスケット部の双方の弾性が大な場合、外壁パネルの組み付け時に、大きな圧接力が必要となる。そのため、外壁パネルの組み付け作業性を低下させるとともに、外壁パネルに位置ずれが生じて組み付け精度を損ねる。又前記位置ずれによって、第２のガスケット部同士の密着性が不十分となりシール性能を低下させるという問題も招く。
【００１７】
これに対して本発明では、少なくとも前記第１のガスケット部は、半円弧状のアーチ状リップ片からなる中空状をなし、かつ該アーチ状リップ片の一方側の端部が、前記ベース部から切り離されていることによって、圧縮変形容易に形成されている。従って、外壁パネルの組み付け時、圧接力が小さくてすみ、組み付け作業性の低下、組み付け精度の低下、及びシール性能の低下を抑制することができる。
【００１８】
なお、前記アーチ状リップ片の両端部がベース部に連結している場合、弾性はある程度減じるものの、圧接時、アーチ状リップ片は、その圧接部分が凹状に局部的に変形したり、又前後（屋内外方向）に位置ずれしていびつに変形する。そのため、圧接部分での密着性が不安定となってシール性能を安定して得ることは難しくなる。これに対して、アーチ状リップ片の一方側の端部がベース部から切り離されて自由端となる場合、圧接時、アーチ状リップ片の全体が凸円弧状を維持しながら厚さ方向にのみ変形する。従って、圧接部分では凸円弧状同士が前後（屋内外方向）に位置ずれすることなく偏平に変形しながら互いに接触するため、シール性能を安定して得ることができる。
【図面の簡単な説明】
【００１９】
【図１】本発明の乾式目地構造を採用した家屋の外壁部の一実施例を示す部分斜視図である。
【図２】その主要部を拡大して示す部分斜視図である。
【図３】乾式目地部材の圧接前の状態を示す断面図である。
【図４】乾式目地部材の圧接後の状態を示す断面図である。
【図５】外壁パネルの横目地部を示す斜視図である。
【図６】乾式目地部材の他の使用方法を例示する断面図である。
【図７】（Ａ）は従来の乾式目地構造を示す分解斜視図、（Ｂ）はその主要部を拡大して示す断面図である。
【発明を実施するための形態】
【００２０】
以下、本発明の実施の形態について、詳細に説明する。
図１、２に示すように、本発明の乾式目地構造は、隣り合って配される外壁パネル１、１の向き合う側端面Ｓ、Ｓ間に形成される縦目地部２を、乾式目地部材３を用いてシールする。
【００２１】
各前記外壁パネル１は、家屋の架構体４に、順次隣り合って組み付けられる。同図には、前記架構体４が、支柱（図示しない）間に架け渡される梁材５である場合が示される。本例の梁材５は、水平な上下のフランジ部５ａ、５ａ間を垂直なウエブ５ｂで継ぐ断面Ｉ字状の型鋼材から形成される。そしてこの梁材５に、本例では、取付け板６を介して前記外壁パネル１が順次取り付けられる。本例の取付け板６は、例えば上のフランジ部５ａにボルト止めされる基板部６ａと、その屋外側を向く前端から折れ曲がって垂直に立上がる立片部６ｂとを有する断面Ｌ字状をなす。
【００２２】
次に、前記外壁パネル１は、パネル本体８と、このパネル本体８の側端面Ｓに貼着されるゴム弾性を有する乾式目地部材３とを具える。前記パネル本体８は、例えば金属製の枠材９ａによって矩形状に枠組みされた支持枠９と、この支持枠９の屋外側の前面に固定される面材１０とを具える。本例では、前記枠材９ａが断面コ字状の溝形鋼から形成され、その溝部９ａ１を内側に向けて枠組みされる。又前記面材１０は、例えばＡＬＣ（軽量気泡コンクリート）等のコンクリート製の板材１０ａから形成され、例えばボルト等を用いて前記支持枠９に一体固定される。本例では、外観性や耐候性を高めるために、前記コンクリート製の板材１０ａの前面に、複数のタイル１０ｂが貼着された第１実施形態の場合が示される。この場合、タイル１０ｂ、１０ｂ間の目地部分１Ａの巾と、前記縦目地部２の巾とはほぼ等しく設定されるのが好ましい。なお面材１０として、コンクリート製の板材１０ａのみで形成することもできる。
【００２３】
図３に示すように、前記乾式目地部材３は、前記面材１０の側端面Ｓに貼り着される板状のベース部１１と、圧接面となる外面が前記ベース部１１からそれぞれ半円形状に突出する第１、第２のガスケット部１２、１３とを一体に具える。第１のガスケット部１２は、屋外側又は屋内側のうちの一方側に配され、第２のガスケット部１３が他方側に配される。本例では、一方側が屋外側、他方側が屋内側となる場合が示される。
【００２４】
前記第１、第２のガスケット部１２、１３のうち、少なくとも第１のガスケット部１２は、半円弧状のアーチ状リップ片１４からなる中空状をなす。しかもこのアーチ状リップ片１４の屋外側（前記一方側）の端部１４Ｅは、前記ベース部１１から切り離された自由端として形成される。これにより、第１のガスケット部１２が圧接力を受けたとき、アーチ状リップ片１４の前記端部１４Ｅは、前記ベース部１１の外面上を滑って前方側に自由に移動できる。従って、アーチ状リップ片１４は、その全体が凸円弧状を維持しながら、厚さ方向にのみ容易に圧縮変形することができる。
【００２５】
本例では、第２のガスケット部１３も、半円弧状のアーチ状リップ片１５からなる中空状をなすとともに、その屋外側（前記一方側）の端部１５Ｅもベース部１１から切り離されている。従って、第２のガスケット部１３が圧接力を受けたとき、アーチ状リップ片１５の前記端部１５Ｅもベース部１１の外面上を滑って前方側に自由に移動でき、アーチ状リップ片１５の全体が凸円弧状を維持しながら、厚さ方向にのみ容易に圧縮変形することが可能となる。
【００２６】
各アーチ状リップ片１４、１５の前記端部１４Ｅ、１５Ｅは、前記ベース部１１に向く面が平面又は凸円弧状の曲面からなる滑らかな滑り面部１６を具える。これにより、前記端部１４Ｅ、１５Ｅをベース部１１に引っ掛かることなくスムーズに滑らせることができ、圧縮変形を円滑化しうる。なお滑り面部１６の巾Ｗ１は０．５mm以上が好ましい。
【００２７】
本例では、第１のガスケット部１２の外面の曲率半径Ｒ１２と、第２のガスケット部１３の外面の曲率半径Ｒ１３とは実質的に等しく、また第１のガスケット部１２の厚さｔ１２と、第２のガスケット部１３の厚さｔ１３とは実質的に等しい。これに対して、第２のガスケット部１３の曲げ剛性は、第１のガスケット部１２の曲げ剛性よりも大に設定されている。特に本例の第２のガスケット部１３は、第１のガスケット部１２と同質のゴム弾性材からなる内層部１３ｉと、この内層部１３ｉよりも硬質のゴム弾性材からなる外層部１３ｏとから形成され、これにより第２のガスケット部１３の曲げ剛性を、第１のガスケット部１２の曲げ剛性よりも大としている。
【００２８】
前記外層部１３ｏは、アーチ状リップ片１５の円弧の頂点Ｐよりも屋外側（前記一方側）に位置する一端Ｅ１から、ベース部１１の底面上に位置する他端Ｅ２まで延在する。従って、前記外層部１３ｏは、第２のガスケット部１３の外面のうちの、少なくとも前記頂点Ｐよりも屋内側（前記他方側）の領域範囲を被覆している。
【００２９】
前記内層部１３ｉをなすゴム弾性材として、ゴム硬さＨｓｉが７０±５の範囲のものが好適であり、また外層部１３ｏをなす硬質のゴム弾性材として、ゴム硬さＨｓｏが７５±５、かつ前記ゴム硬さＨｓｉとの差が３〜７の範囲のものが好適に採用しうる。なお前記「ゴム硬さ」とは、ＪＩＳ−Ｋ６２５３に基づきデュロメータータイプＡにより、２３℃の環境下で測定したデュロメータＡ硬さを意味する。
【００３０】
又屋外側となる第１のガスケット部１２は、外壁パネル１におけるタイル１０ｂ、１０ｂ間の目地部分１Ａ（図１に示す）と同色（本例では黒色）であるのが好ましい。この黒色のために、さらには耐オゾン性、耐候性、耐熱性も考慮して、前記ベース部１１、第１のガスケット部１２及び第２のガスケット部１３の内層部１３ｉにはＥＰＤＭ（エチレン-プロピレンゴム）が採用される。これに対して前記外層部１３ｏは、コンクリート製の前記板材１０ａと同色（本例では灰色）に設定されるとともに、この灰色のために、外層部１３ｏには着色容易かつ変色し難いＣＰＥ（塩素化ポリエチレン）が採用されている。
【００３１】
又乾式目地部材３は、接着剤Ｔを介して、面材１０の側端面Ｓに貼着されるが、接着剤Ｔとして接着強度の観点からゴム系接着剤が好適に採用できる。特に、耐水性や耐候性の観点からブチルテープが好適に採用しうる。
【００３２】
このような乾式目地部材３は、予め工場などによってパネル本体８に取り付けられ、独立した外壁パネル１として形成される。
【００３３】
次に、乾式目地構造では、外壁パネル１を架構体４に順次組み付ける際、新たに組み付けようとする外壁パネル１を、その乾式目地部材３を、先に組み付けられた外壁パネル１の乾式目地部材３に圧接させながら架構体４に取り付ける。これにより、図４に示すように、前記第１のガスケット部１２、１２同士の圧接により、本例ではレインバリア３０が形成され、前記第２のガスケット部１３、１３同士の圧接により、本例ではウインドバリア３１が形成される。又前記第１、第２のガスケット部１２、１３間に配される凹部同士によって形成される空間３２は、その上端及び下端で外気に連通し、これによって前記空間３２が等圧空間３３として機能する。従って、前記等圧空間３３は、雨水等の侵入を促進させる減圧状態にはならず、レインバリア３０の作用と相俟って雨水等の侵入を確実に防止することができる。又前記ウインドバリア３１は屋内の気密性を保持する。
【００３４】
特に本例では、第２のガスケット部１３の曲げ剛性は、第１のガスケット部１２の曲げ剛性よりも相対的に大きい。そのため第２のガスケット部１３、１３間の圧接力が高くなり、ウインドバリア３１の気密性、即ち屋内の気密性をより向上させることが可能となる。
【００３５】
又前記第１実施形態においては、外壁パネル１、１間の隙間Ｇから第１のガスケット部１２の一部が見える。しかし前記第１のガスケット部１２は、タイル１０ｂ、１０ｂ間の目地部分１Ａと同色の黒色であるため、この縦目地部２の見栄えの低下を防止することができる。
【００３６】
図５に、上下で隣り合う外壁パネル１、１間に形成される横目地部３５の横目地構造を例示する。この横目地構造では、下方側の外壁パネル１の上端面に固定される目地金具３６が使用される。本例の目地金具３６は、屋外側の第１の目地板３７と、屋内側の第２の目地板３８とから構成される。
【００３７】
前記第２の目地板３８は、後端部が外壁パネル１の支持枠９の上端面に固定されかつ面材１０の上端面に沿ってのびる基板部３８ａと、この基板部３８ａの前端から前記面材１０の前面に沿って下方に折れ曲がる水切り板部３８ｂとを具える。又前記基板部３８ａには、上方側の外壁パネル１の面材１０の下端面に沿って水平にのびる支持板部４０が設けられる。この支持板部４０の上面に、前記上方側の外壁パネル１の面材１０との間をシールする第２の水密材３９Ｂが貼着される。
【００３８】
又前記第１の目地板３７は、後端部が前記支持板部４０の前端部にフック状に係止されかつ前記水切り板部３８ｂを越えた位置まで前方にのびる基板部３７ａと、この基板部３７ａの先端から前記水切り板部３８ｂとは間隔を隔てて下方に折れ曲がる水切り板部３７ｂとを具える。又基板部３７ａは、前記支持板部４０と同高さの支持板部分３７ａ１を有し、その上面に、前記上方側の外壁パネル１の面材１０との間をシールする第１の水密材３９Ａが貼着される。又基板部３７ａには、その後端側を切り曲げた複数の脚部分３７ａ２が、間隔を有して形成される。この脚部分３７ａ２は、その下端が、前記第２の目地板３８の基板部３８ａの上面と当接し、前記第１の目地板３７の基板部３７ａを水平に支持する。
【００３９】
従って本例の横目地構造では、前記レインバリア３０から雨水等が侵入してしまった場合、その雨水等は、前記等圧空間３３を通って下方に落ち、前記支持板部分３７ａ１、脚部分３７ａ２のための切り曲げ部４１、及び前記水切り板部３７ｂ、３８ｂ間の間隙を通って屋外に排出することができる。又等圧空間３３は、同経路を通って外気に連通している。
【００４０】
図６に、乾式目地部材３の他の使用方法が例示される。本例は、外壁パネル１の面材１０が、板材１０ａのみで形成される場合（第２実施形態の場合）であって、前記乾式目地部材３は、前記第１実施形態の場合とは逆向きに取り付けられる。
【００４１】
具体的には、本例では、屋内側が一方側、屋外側が他方側となる。すなわち乾式目地部材３において、第１のガスケット部１２が屋内側に配され、かつ第２のガスケット部１３が屋外側に配されており、第１のガスケット部１２、１２同士の圧接によりウインドバリア３１が形成され、かつ第２のガスケット部１３、１３同士の圧接によりレインバリア３０が形成される。これ以外、第１実施形態の場合と同様である。
【００４２】
この第２実施形態の場合には、前記タイル１０ｂが装着されない分、縦目地部２の巾Ｗ２は、第１実施形態における縦目地部２の巾Ｗ２よりも大である。そのため、レインバリア３０からの雨水の浸入が懸念される。しかし第２実施形態の場合、屋外側となる第２のガスケット部１３の曲げ剛性が大となるため、前記レインバリア３０の密着性が第１実施形態に比して相対的に高まり、水密性が向上される。
【００４３】
又第２実施形態においては、外壁パネル１、１間の隙間Ｇから第２のガスケット部１２の一部が見える。しかしこの第２のガスケット部１３の外層部１３ｏが、板材１０ａと同色の灰色であるため、この縦目地部２の見栄えの低下を防止することができる。
【００４４】
以上、本発明の特に好ましい実施形態について詳述したが、本発明は図示の実施形態に限定されることなく、種々の態様に変形して実施しうる。
【符号の説明】
【００４５】
１     外壁パネル
２     縦目地部
３     乾式目地部材
９     支持枠
１０   面材
１１   ベース部
１２   第１のガスケット部
１３   第２のガスケット部
１３ｉ 内層部
１３ｏ 外層部
１４   アーチ状リップ片
１４Ｅ 端部
１５   アーチ状リップ片
１５Ｅ 端部
１６   滑り面部
１９   半円柱状体
３０   レインバリア
３１   ウインドバリア
３２   等圧空間
Ｓ     側端面
【図１】
2015004237.tif 000003
【図２】
2015004237.tif 000004
【図３】
2015004237.tif 000005
【図４】
2015004237.tif 000006
【図５】
2015004237.tif 000007
【図６】
2015004237.tif 000008
【図７】
2015004237.tif 000009